(57)【特許請求の範囲】
【請求項１】
指標部を備えた文字板と、前記指標部を指示する指針と、前記文字板を支持するためのケース体とを備え、前記ケース体は筒状のボス部を有し、前記文字板は前記ボス部を挿入する貫通孔を有する計器装置において、前記文字板は前記ボス部に向かって突出する複数の突起部を有し、前記ボス部はその外周部に前記突起部を位置合わせした後、前記貫通孔の内周部が前記ボス部の外周部に近づく方向に前記文字板を直線移動することにより前記突起部に嵌合する嵌合部を有することを特徴とする計器装置。
【請求項２】
前記文字板の移動方向下流側に位置するボス部の外壁面箇所に、観察者に向かって前記文字板から離れるにしたがって前記貫通孔の内周部に近づくように傾斜する傾斜面を設けたことを特徴とする請求項１に記載の計器装置。
【発明の詳細な説明】
【技術分野】
【０００１】
本発明は、たとえば車両用計器に適用される計器装置に関し、特に文字板の固定に特徴を有する計器装置に関するものである。
【背景技術】
【０００２】
従来の計器装置の文字板の固定構造としては、下記特許文献１に記載されているように文字板２と、文字板２を支持するケース体３と、を備え、ケース体３に抜け止め突起８を有するボス部７を形成し、文字板２にボス部７が挿通する貫通孔４を設けるとともに貫通孔４に抜け止め突起８を挿通させる切り欠き５を形成し、切り欠き５と抜け止め突起８を合致させてボス部７を文字板２の貫通孔４に挿通させ、文字板２を所定角度回転させてケース体３に固定した計器装置が用いられている。
【先行技術文献】
【特許文献】
【０００３】
【特許文献１】特開２００６−２８４２２０号公報
【発明の概要】
【発明が解決しようとする課題】
【０００４】
しかしながら、このような計器装置の文字板の固定構造では、ボス部を貫通孔に挿通させた後に、文字板を所定角度回転することによって嵌合固定していたために文字板とボス部とが擦れてゴミが出やすく、また外側に飛び出た抜け止め突起を隠すために指針キャップが径大になってしまうなどのデサイン上の制約があり、さらなる改良の余地があった。また文字板がシャフトノブやスイッチ等の操作部材を挿通する他の貫通孔を有する場合は文字板の回転装着は困難である。
【課題を解決するための手段】
【０００５】
本発明は、そのような点に鑑みて発明されたものであって、指標部を備えた文字板と、前記指標部を指示する指針と、前記文字板を支持するためのケース体とを備え、前記ケース体は筒状のボス部を有し、前記文字板は前記ボス部を挿入する貫通孔を有する計器装置において、前記文字板は前記ボス部に向かって突出する複数の突起部を有し、前記ボス部はその外周部に前記突起部を位置合わせした後、前記貫通孔の内周部が前記ボス部の外周部に近づく方向に前記文字板を直線移動することにより前記突起部に嵌合する嵌合部を有するものである。
【０００６】
また本発明は、前記文字板の移動方向下流側に位置するボス部の外壁面箇所に、観察者に向かって前記文字板から離れるにしたがって前記貫通孔の内周部に近づくように傾斜する傾斜面を設けたものである。
【発明の効果】
【０００７】
部品点数を増やすことなく、文字板を容易に組付けできるケース体を備えた計器装置を提供すること。
【図面の簡単な説明】
【０００８】
【図１】本発明の実施形態におけるケース体と文字板を組み付けた状態の正面図。
【図２】同上の文字板の正面図。
【図３】同上のＡ−Ａ断面図。
【図４】同上の組み付け前の状態を示す断面図。
【発明を実施するための形態】
【０００９】
以下、図１から図３を用いて本発明の実施形態を計器装置に適用した例を説明する。
【００１０】
本発明の計器装置１は、文字板２と、この文字板２を支持する支持体となるケース体３とを備えている。
【００１１】
文字板２は、図２に示すように、その中央部に貫通孔４を有し、図示しない指針の指針軸が貫通する。また、この貫通孔４は、ケース体３に設けられた後述するボス体も貫通する。また、この貫通孔４には、複数の突起部７が形成されている。
【００１２】
本実施形態では、突起部７は３つあり、それぞれが後述する嵌合孔に対応するように形成されている。また、後述する文字板２の移動方向下流側に位置する内周部箇所には突起部７が嵌合孔に嵌め込まれた際に、ボス体５の側壁に当接する、この場合、直線形状の当接部１１が設けられている。
【００１３】
文字板２の表面には、前記指針が指示する図示しない指標部が設けられてあり、その指標部として、目盛や文字や記号などを備えている。また、文字板２の上方に設けられた切り欠き部１０は、文字板２の位置を固定するためのものである。
【００１４】
ケース体３は、不透過性の合成樹脂からなり、図３に示すように、円筒状のボス部５を有している。このボス部５は、文字板２の貫通孔４に挿入されるもので、その外周部には、突起部７を嵌め込み可能な嵌合孔（嵌合部）６が３つ設けられている。この嵌合孔（嵌合部）６は文字板２に設けられた突起部７に対応して後述する文字板２の移動方向上流側に開口するように設けられている。
【００１５】
またボス部５の嵌合孔６と対向し前記移動方向下流側となる外壁面箇所には、観察者から離れるに従って貫通孔の内周部から遠ざかるように傾斜する傾斜面８が設けられている。
【００１６】
また、ケース体３の外周には、抜け止めピン９が設けられ、文字板２に設けられた切り欠き部１０に挿通して位置決めされるものである。
【００１７】
文字板２とケース体３との組み付け方法を説明する。なお文字板２のケース体３に対する組付けは、ボス部５の一部と貫通孔４の一部を位置合わせした後、文字板２をボス部５と貫通孔４との互いの位置が一致する直線方向（図２、図４中、矢印Ｄに示す移動方向参照）に移動することにより行われる。
すなわち図４に示すように、文字板２を撓ませてボス部５の先端であって移動方向Ｄに対し上流側となる外周部に部分形成された３つの嵌合孔６に、３つの突起部７を位置合わせし、その後、貫通孔４の内周部がボス部５の外周部に近づく方向（移動方向Ｄ参照）に文字板２を移動する。すると移動に伴って突起部７が嵌合孔６に嵌合すると共に、貫通孔４の当接部１１が傾斜面８上をケース体３の板状部分３１に向けて移動し、最終的にボス体５の外周部に傾斜面８と連続する垂直壁として部分形成された壁部１２と当接し、これにより貫通孔４がボス部５に位置決めされる。更にこの位置決めが完了すると、抜け止めピン９に切り欠き部１０が挿通されるようになっており、これにより、文字板２の全体的な位置決めが行われる。
【００１８】
このように、本発明によれば、指標部を備えた文字板２と、指標部を指示する指針と、文字板２を支持するためのケース体３とを備え、ケース体３は筒状のボス部５を有し、文字板２はボス部５を挿入する貫通孔４を有する計器装置において、文字板２はボス部５に向かって突出する突起部７を有し、ボス部５はその外周部に突起部７を位置合わせした後、貫通孔４の内周部がボス部５の外周部に近づく方向に文字板２を移動することにより突起部７に嵌合する嵌合部６を有するので、文字板２を所定角度回転しなくても嵌合固定することができるので、外側に飛び出た形状の抜け止め突起を設ける必要がなく、部品点数を増やすことなく組み付けしやすい計器装置を提供することができる。
【００１９】
また、本発明によれば、・前記文字板の移動方向下流側に位置するボス部の外壁面箇所に観察者に近づくに従って前記貫通孔の内周部から遠ざかるように傾斜する傾斜面を設けたことによって、撓ませた文字板２を傾斜面８に沿わせて装着できるため、少ない工程で文字板２を固定することができ、部品点数を増やすことなく組み付けしやすい計器装置を提供することができる。
【００２０】
なお本実施形態では文字板２を直線方向である移動方向Ｄに沿って位置決め装着する構成であるため、文字板２がシャフトノブやスイッチ等の操作部材（図示しない）を挿通する他の貫通孔を有する場合でも文字板２を装着できる。なおこの際、操作部材は若干の倒れ方向への移動が可能なように構成しておくことが必要である。
【符号の説明】
【００２１】
１    計器装置
２    文字板
３    ケース
４    貫通孔
５    ボス部
６    嵌合孔（嵌合部）
７    突起部
８    傾斜面
９    ピン
１０    切り欠き部
１１    当接面
【図１】
0005463819.tif 000002
【図２】
0005463819.tif 000003
【図３】
0005463819.tif 000004
【図４】
0005463819.tif 000005